(57)【要約】【課題】異なる種類のコネクターであるシリアル通信コネクター及びイーサネット（登録商標）コネクターを互換して接続することができるインターフェースを備えるマザーボードを提供することである。【解決手段】本発明のマザーボードは、第一ピンないし第八ピンを有し且つシリアル通信コネクター又はイーサネット（登録商標）コネクターを接続するために用いられるインターフェースと、インターフェースの第一ピンないし第八ピンに接続され、さらにマザーボード上のシリアル通信バス及びイーサネット（登録商標）バスに接続され、インターフェースに接続されたコネクターのタイプを検出して、検出の結果に基づいてシリアル通信バスとインターフェースとを接続するか又はイーサネット（登録商標）バスとインターフェースとを接続するスイッチモジュールと、を備える。【選択図】図１
2014130582.tif 000002
【特許請求の範囲】
【請求項１】
第一ピンないし第八ピンを有し且つシリアル通信コネクター又はイーサネット（登録商標）コネクターを接続するために用いられるインターフェースと、
前記インターフェースの前記第一ピンないし第八ピンに接続され、さらにマザーボード上のシリアル通信バス及びイーサネット（登録商標）バスに接続され、前記インターフェースに接続されたコネクターのタイプを検出して、前記検出の結果に基づいて前記シリアル通信バスと前記インターフェースとを接続するか又は前記イーサネット（登録商標）バスと前記インターフェースとを接続するスイッチモジュールと、
を備えることを特徴とするマザーボード。
【請求項２】
前記スイッチモジュールはスイッチチップを備え、前記スイッチチップは、前記インターフェースの前記第一ピンないし第八ピンに接続される第一組入出力ピンと、前記マザーボード上の前記シリアル通信バスに接続される第二組入出力ピンと、前記マザーボード上の前記イーサネット（登録商標）バスに接続される第三組入出力ピンと、前記インターフェースの第四ピンに接続される制御ピンと、を備え、
前記インターフェースに前記シリアル通信コネクターを接続する場合、前記インターフェースの第四ピンは接地し、前記スイッチチップは前記第一組入出力ピンと前記第二組入出力ピンとを接続し、前記インターフェースにイーサネット（登録商標）コネクターを接続する場合、前記インターフェースの第四ピンは高レベル信号を受信し、前記スイッチチップは前記第一組入出力ピンと前記第三組入出力ピンとを接続することを特徴とする請求項１に記載のマザーボード。
【発明の詳細な説明】
【技術分野】
【０００１】
本発明は、マザーボードに関するものである。
【背景技術】
【０００２】
サーバーに搭載されているマザーボード上のシリアル通信ポートとイーサネット（登録商標）ポートとは非常に似ているので、テスト過程において、テスト者はシリアル通信ポートをイーサネット（登録商標）ポートと間違えて使用する又はイーサネット（登録商標）ポートをシリアル通信ポートと間違えて使用することがあり、従って正常に通信できず、テスト者に不便をもたらす。
【発明の概要】
【発明が解決しようとする課題】
【０００３】
本発明の目的は、前記課題を解決し、異なる種類のコネクターであるシリアル通信コネクター及びイーサネット（登録商標）コネクターを互換して接続することができるインターフェースを備えるマザーボードを提供することである。
【課題を解決するための手段】
【０００４】
本発明に係るマザーボードは、第一ピンないし第八ピンを有し且つシリアル通信コネクター又はイーサネット（登録商標）コネクターを接続するために用いられるインターフェースと、インターフェースの第一ピンないし第八ピンに接続され、さらにマザーボード上のシリアル通信バス及びイーサネット（登録商標）バスに接続され、インターフェースに接続されたコネクターのタイプを検出して、検出の結果に基づいてシリアル通信バスとインターフェースとを接続するか又はイーサネット（登録商標）バスとインターフェースとを接続するスイッチモジュールと、を備える。
【発明の効果】
【０００５】
本発明のマザーボードは、シリアル通信コネクターの特有の接地ピンを識別することにより、インターフェースの機能を自動的に切り換えることができ、従って異なる種類のコネクターであるシリアル通信コネクター及びイーサネット（登録商標）コネクターを互換して接続することができる。
【図面の簡単な説明】
【０００６】
【図１】本発明の実施形態に係るマザーボードのブロック図である。
【発明を実施するための形態】
【０００７】
以下、図面を参照して、本発明の実施形態について説明する。
【０００８】
図１を参照すると、本発明の実施形態に係るマザーボード１０は、インターフェース１０１及びスイッチモジュール１０２を備える。
【０００９】
インターフェース１０１は、シリアル通信インターフェース又はイーサネット（登録商標）インターフェースと同じ構造を有し、８つのピンを有する。
【００１０】
シリアル通信コネクターの第四ピンは接地ピンであるが、イーサネット（登録商標）コネクターの第四ピンはデータピンであり、シリアル通信コネクター及びイーサネット（登録商標）コネクターの他のピンの機能は同じである。
【００１１】
スイッチモジュール１０２は、インターフェース１０１の第一ピン１ないし第八ピン８に接続される。スイッチモジュール１０２は、マザーボード１０上のシリアル通信バス１０３及びイーサネット（登録商標）バス１０４に接続される。スイッチモジュール１０２は、インターフェース１０１に接続されたコネクターのタイプ（シリアル通信コネクター又はイーサネット（登録商標）コネクター）を検出してから、検出結果に基づいてシリアル通信バス１０３とインターフェース１０１とを接続するか又はイーサネット（登録商標）バス１０４とインターフェース１０１とを接続する。
【００１２】
本実施形態において、スイッチモジュール１０２はスイッチチップを備える。スイッチチップは、第一組入出力ピン１１、第二組入出力ピン１２、第三組入出力ピン１３及び制御ピン１０５を備える。第一組入出力ピン１１は、インターフェース１０１の第一ピン１ないし第八ピン８に接続され、第二組入出力ピン１２は、マザーボード１０上のシリアル通信バス１０３に接続され、第三組入出力ピン１３は、マザーボード１０上のイーサネット（登録商標）バス１０４に接続され、制御ピン１０５は、インターフェース１０１の第四ピン４に接続される。
【００１３】
シリアル通信コネクターがインターフェース１０１に接続される場合、インターフェース１０１の第四ピン４は接地され、即ちスイッチモジュール１０２の制御ピン１０５は低レベル信号を受信する。スイッチモジュール１０２は、第一組入出力ピン１１と第二組入出力ピン１２とを接続して、マザーボード上のシリアル通信バス１０３はシリアル通信コネクターに電気的に接続される。
【００１４】
イーサネット（登録商標）コネクターがインターフェース１０１に接続される場合、インターフェース１０１の第四ピン４はイーサネット（登録商標）コネクターの第四ピンからの高レベル信号を受信し、即ちスイッチモジュール１０２の制御ピン１０５は高レベル信号を受信する。スイッチモジュール１０２は、第一組入出力ピン１１と第三組入出力ピン１３とを接続して、マザーボード上のイーサネット（登録商標）バス１０４はイーサネット（登録商標）コネクターに電気的に接続される。
【００１５】
インターフェース１０１の第四ピン４が受信した信号のレベルに基づいてインターフェース１０１に接続されたコネクターのタイプを判断してから、スイッチモジュール１０２によって信号線の切替を行うことにより、インターフェース１０１に異なる種類のコネクターであるシリアル通信コネクター及びイーサネット（登録商標）コネクターを互換して接続することができる。
【符号の説明】
【００１６】
１０  マザーボード
１１  第一組入出力ピン
１２  第二組入出力ピン
１３  第三組入出力ピン
１０１  インターフェース
１０２  スイッチモジュール
１０３  シリアル通信バス
１０４  イーサネット（登録商標）バス
１０５  制御ピン
【図１】
2014130582.tif 000003